(57)【特許請求の範囲】
【請求項１】
電動モータによって駆動されたドライバによってステープルを打ち出して被綴り材を貫通させ、被綴り材を貫通したステープルの脚部をカッターで所定の長さに切断した後にクリンチャによって内側に折り曲げる電動ホッチキスにおいて、
上記カッターにはステープルの脚部を挿入する１対の脚受け穴を形成し、脚受け穴の裏側に突出した脚部を切断するように形成するとともに、
上記カッターの裏側には曲げ板を配置し、該曲げ板で上記脚受け穴から挿入されたステープル脚部を内側に曲げた後に脚部を切断することにより、上記脚部を、該切断面と脚部の外側面とがなす角度が鈍角をなすように切断する
ことを特徴とする電動ホッチキスにおけるステープル脚部の切断機構。
【請求項２】
前記脚部はＵ字形又はＶ字形のカッターで切断する請求項１記載の電動ホッチキスにおけるステープル脚部の切断機構。
【発明の詳細な説明】
【０００１】
【発明の属する技術分野】
本発明は、被綴り材を貫通したステープルの脚部の先端の余分な部分を切断した後にクリンチするタイプの電動ホッチキスにおいて、貫通したステープル脚部を内側に曲げた後に切断する切断機構に関する。
【０００２】
【従来技術】
一般に、被綴り材の枚数が多い（例えば１００枚綴りのように）場合は、ステープルのクラウン部の幅が狭く脚部が長いものを使用するが、同じステープルで比較的少ない枚数の被綴り材を綴じると、脚部を折り曲げたときに両側の脚部が重なり合ってしまうので、これを防止するため、綴り台上の被綴り材を貫通して被綴り材の裏側に突出した脚部のうち綴りに必要な部分を残して残りを切断した後にクリンチする機構が知られている。上記切断機構は、図１２(a) 、(b) のように可動クリンチャ（図示せず）を回動自在に支持する２枚の支持板３０の中途部にカッター３１を直交方向に移動可能に配置するとともに、カッター３１にはステープル脚部３２を貫通させる開口部３３を形成し、被綴り材３４を貫通したステープル脚部３２が上記支持板３０の間に挿入されてカッター３１の開口部３３を貫通するようにし、同図(c) のようにカッター３１を移動させることによってステープルの脚部３２の不要部分を切断するものである。
【０００３】
【発明が解決しようとする課題】
しかしながら、上記のようにステープルの脚部を切断するときは、脚部の角部３５がほぼ直角に形成されるので、同図(d) のように、綴じ作業終了後に冊子を重ねたときなどに脚部の角部３５で重ねられた冊子３４ａの紙面を引っ掛けたり破いたりする恐れがあった。
【０００４】
本発明は上記問題点を解消し、ステープルの脚部で紙面を引っ掛けたり破いたりすることのない電動ホッチキスにおけるステープル脚部の切断機構を提供することをその課題とする。
【０００５】
【課題を解決するための手段】
前記課題を達成するため、本発明に係る電動ホッチキスにおけるステープル脚部の切断機構は、電動モータによって駆動されたドライバによってステープルを打ち出して被綴り材を貫通させ、被綴り材を貫通したステープルの脚部をカッターで所定の長さに切断した後にクリンチャによって内側に折り曲げる電動ホッチキスにおいて、上記カッターにはステープルの脚部を挿入する１対の脚受け穴を形成し、脚受け穴の裏側に突出した脚部を切断するように形成するとともに、上記カッターの裏側には曲げ板を配置し、該曲げ板で上記脚受け穴から挿入されたステープル脚部を内側に曲げた後に脚部を切断することにより、上記脚部を、該切断面と脚部の外側面とがなす角度が鈍角をなすように切断することを特徴とする。
【０００６】
また、前記脚部はＵ字形又はＶ字形のカッターで切断するようにしてもよい。
【０００７】
【発明の実施の形態】
図１は電動ホッチキスの要部の斜視図であり、この電動ホッチキスは、ドライバ駆動機構と、その下部に配置された切断機構とクリンチャ機構とを備えている。
【０００８】
ドライバ駆動機構は、図示しない電動モータによって作動する溝カム１と、溝カム１の回転により揺動する駆動リンク２と、両側の駆動リンク２の先端を連結する連結杆３に支持されたドライバホルダ４と、ドライバホルダ４に支持されたドライバ５とから構成されている。これにより、電動モータにより溝カム１を回転させると、駆動リンク２が揺動してドライバ５が上下動する。
【０００９】
ドライバ５の下方にはステープルを供給するステープル供給装置（図示せず）が設けられている。さらにその下方には図２に示されるように、被綴り材１５を載置するための綴り台７が設けられている。また、綴り台７の下方にはドライバ５によって打ち出されたステープル６の脚部６ａを案内するとともに後述の可動クリンチャを保持する２枚のクリンチャホルダ８が間隔をおいて配置され、ここにステープル脚切断機構とクリンチャ機構とが配設されている。
【００１０】
ステープル脚切断機構は図２、図３に示されるように、上記クリンチャホルダ８に横長長方形の方形孔９を貫通形成し、この方形孔９にブロック状のカッター１０を出没可能に取り付けて成り、カッター１０の前端にはステープル６の脚部６ａが挿入可能な横長の脚受け穴１１が上下方向に形成されている。
【００１１】
ところで、図４、図５に示されるように、上記カッターの下部には弯曲した曲げ板１４が配置されている。
【００１２】
次に、上記綴り台７には、図２及び図３のように、ドライバ５が下方に駆動されて打ち出されたステープル６が当たる部位に開口部１２が２枚のクリンチャホルダ８によって形成され、上記ステープル６の脚部６ａは２枚のクリンチャホルダ８間を通るように構成されている。そして、クリンチャ機構は、図２、図３及び図６(a) に示されるように、上記クリンチャホルダ８の間に２枚の可動クリンチャ１３を回動自在に配置したもので、各可動クリンチャ１３はクリンチャホルダ８の方形孔９を避けるようなアーチ形に形成され、その基部１３ａは重ねられて軸２６に回動自在に支持され、回動時に各先端１３ｂが被綴り材１５の下面に沿って移動して全体が開閉するように構成されている。また、可動クリンチャ１３の外側下部には係合溝１６が形成されている。
【００１３】
図１、図３及び図６(a) に示すように、可動クリンチャ１３の下方にはクリンチャレバー１７が上下動可能に取り付けられている。クリンチャレバー１７の前端は可動クリンチャ１３の係合溝１６に係合可能に配置され、クリンチャレバー１７の中央は電動ホッチキスの綴り台７と一体の基台１８に設けられた支軸１９に揺動自在に取り付けられている。さらに、クリンチャレバー１７の後部には駆動リンク２０が結合され、この駆動リンク２０の後端は上記溝カム１の裏側の溝（図示せず）に係合している。さらに、クリンチャレバー１７の近傍には三角形状のリンク板２１が軸２２によって揺動可能に配置され、その前端は軸２６を介してクリンチャレバー１７に、上端は軸２３を介して上記カッター１０にそれぞれ作動連結されている。したがって、溝カム１が回転することにより、駆動リンク２０が作動してクリンチャレバー１７が揺動すると、これに連動して可動クリンチャ１３とカッター１０とが作動する。
【００１４】
上記構成において、電動モータにより溝カム１を回転させると、上部の駆動リンク２が揺動してドライバ５が上下動する。ドライバ５が下方に駆動されたときは、ステープル６を打撃してステープル６の脚部６ａを被綴り材１５に貫通させる。被綴り材１５を貫通したステープル６の脚部６ａはクリンチホルダの前方に突出していたカッター１０の脚受け穴１１に挿入される。このとき、図７に示されるように脚部６ａの先端はその下方に配置された曲げ板１４に当たるので内側に曲げられる。
【００１５】
その後、上記溝カム１によって下部の駆動リンク２０が同様に揺動してクリンチャレバー１７を上方に作動させる。これにより、図８のようにリンク板２１が回動してクリンチホルダの前方に突出していたカッター１０を後方に退避動させ、上記図９(a) 、(b) に示したように脚部６ａの不要部分２５を切断する。
【００１６】
ステープル脚部の切断直後に、クリンチャレバー１７の前端は可動クリンチャ１３の係合溝１６に係合して押し上げるので、図６(a) 、(b) のように可動クリンチャ１３は軸２６を中心に閉じ方向に回動し、ステープル６の脚部６ａを内側に折り曲げて綴りを完了させる。
【００１７】
上述のように、被綴り材１５を貫通したステープル脚部６ａの不要部分２５は、曲げ板１４に当たって内側にカールした後にカッター１０によって切断される。このため、図１０(a) に示されるように、ステープル脚部６ａの外側面ａと切断面ｂとの成す角度θは鈍角になるように切断される。鈍角に切断したときは切断面にバリが生じにくいので、ステープル脚部の切断部の外側部分にはバリが生じにくい。バリが発生しても無視できるほどに小さい。したがって、ステープル脚部６ａが可動クリンチャ１３によって折り曲げられたとき、同図(b) に示されるように、バリが外部に露出することがほとんどない。よって、綴じ作業終了後に冊子を重ねたときなどに脚部の角部で重ねられた冊子の紙面を引っ掛けたり破いたりする恐れがなくなる。
【００１８】
なお、ステープル脚部６ａを切断するカッターは上述のように平板状に形成されているものに限定されない。図１１(a) のようにＶ字形に形成してもよく、また同図(b) のようにＵ字形に形成してもよい。
【図面の簡単な説明】
【図１】電動ホッチキスの要部の斜視図
【図２】上記電動ホッチキスの綴り部の概要を示す断面図
【図３】本発明のステープル脚部切断機構をクリンチャ機構とともに示す分解斜視図
【図４】上記ステープル脚部切断機構の要部の分解斜視図
【図５】上記ステープル脚部切断機構の横断面図
【図６】(a) (b) は上記クリンチャ機構の作動態様説明図
【図７】ステープル脚部切断機構にステープル脚部が挿入された状態を示す断面図
【図８】
上記ステープル脚部切断機構の作動時の電動ホッチキスの要部の斜視図
【図９】(a) (b) は上記ステープル脚部切断機構の作動態様説明図
【図１０】(a) (b) は切断時と切断後折り曲げ時のステープル脚部の状態を示す説明図
【図１１】(a) (b) は他のカッターによる切断態様説明図
【図１２】(a) (b) (c) (d) はそれぞれ従来の切断機構の正面の断面図、側面の断面図、
作動態様説明図及び綴り状態の説明図
【符号の説明】
５  ドライバ
６  ステープル
６ａ  脚部
１０  カッター
１３  可動クリンチャ
１４  曲げ板
１５  被綴り材
【図１】
0003539232.tif 000002
【図２】
0003539232.tif 000003
【図３】
0003539232.tif 000004
【図４】
0003539232.tif 000005
【図５】
0003539232.tif 000006
【図６】
0003539232.tif 000007
【図７】
0003539232.tif 000008
【図８】
0003539232.tif 000009
【図９】
0003539232.tif 000010
【図１０】
0003539232.tif 000011
【図１１】
0003539232.tif 000012
【図１２】
0003539232.tif 000013